(57)【要約】【課題】構造が極めて単純で操作性、捕獲性、低コスト性に優れ、一回の設置によって複数匹のネズミを連続的に捕獲可能なネズミ捕獲器を提供する。【解決手段】  第１の開口部16及び第２の開口部20を備えた筺体12と、各開口部に取り付けられた逆行防止部材26とを備えたネズミ捕獲器10であって、逆行防止部材26が、複数の針金30の後端30aを開口部の縁の近傍に配置固定すると共に、それぞれの先端30bを筐体12の内側に向けて延ばした構造を備えている。【選択図】        図１
2010022204.tif 000002
【特許請求の範囲】
【請求項１】
少なくとも一つの開口部を備えた筺体と、
上記開口部に取り付けられた逆行防止部材とを備えたネズミ捕獲器であって、
上記逆行防止部材が、複数の針金の後端を開口部の縁の近傍に固定すると共に、それぞれの先端を筐体の内側に向けて延ばした構造を備えていることを特徴とするネズミ捕獲器。
【請求項２】
上記筺体が、透明材によって形成されていることを特徴とする請求項１に記載のネズミ捕獲器。
【請求項３】
上記筺体には複数の開口部が設けられ、
各開口部に上記逆行防止部材が取り付けられていることを特徴とする請求項１または２に記載のネズミ捕獲器。
【請求項４】
上記開口部の少なくとも一つが、筐体側面の上方に設けられており、
当該開口部にも上記逆行防止部材が取り付けられており、
さらに、上記開口部にネズミを導くための案内手段を筐体側面に備えたことを特徴とする請求項１〜３の何れかに記載のネズミ捕獲器。
【請求項５】
上記案内手段が、筐体の側面に形成された凹部または凸部の少なくとも一方であることを特徴とする請求項４に記載のネズミ捕獲器。
【請求項６】
上記案内手段が、筐体の側面に設けられたスロープ状部材であることを特徴とする請求項４に記載のネズミ捕獲器。
【請求項７】
上記案内手段が、筐体の側面に設けられた梯子状部材であることを特徴とする請求項４に記載のネズミ捕獲器。
【発明の詳細な説明】
【技術分野】
【０００１】
この発明はネズミ捕獲器に係り、特に、一回の設置によって複数匹のネズミを連続捕獲可能なネズミ捕獲器に関する。
【背景技術】
【０００２】
特許文献１または２に開示された捕獲器は、両端部に入口を有する筒状の筺体内をネズミ等の小獣類が通過し、底板付近に仕掛けられた踏み板が押下されると係止部材が外れて両入口の扉が閉じ、ネズミ等を筺体内に閉じ込める仕組みを備えている。
【特許文献１】実用新案登録第３００７４８２号
【特許文献２】特開２００５−３４１８５２号
【発明の開示】
【発明が解決しようとする課題】
【０００３】
しかしながら、この従来の捕獲器の場合、それぞれ入口側に傾倒するように付勢された一対の踏み板を設けたり、両扉を開放状態に係止する一対の係止部材を踏み板に対して回動可能に取り付ける必要があり、非常に複雑な構造を備えている。
このため、製造コストが嵩むこととなり、比較的広い店舗等に多数配置することが困難となる。
また、構造が複雑である分、動作不良が生じやすく、設置に際しても面倒なセッティング操作を強いられることとなる。
また、設置時には筺体の両端が開放されているので、ネズミの体長や運動能力、機敏性によっては逃げられる可能性もある。
そして何よりも問題なのは、一旦ネズミが筺体内に侵入し、両側の扉が閉じた後は扉が固定されてしまうため、複数のネズミを連続的に捕獲することができなくなる点にある。
【０００４】
この発明は、従来の捕獲器が抱えていた上記の問題を解消するために案出されたものであり、構造が極めて単純で操作性、捕獲性、低コスト性に優れ、一回の設置によって複数匹のネズミを連続的に捕獲可能なネズミ捕獲器を提供することを目的としている。
【課題を解決するための手段】
【０００５】
上記の目的を達成するため、請求項１に記載のネズミ捕獲器は、少なくとも一つの開口部を備えた筺体と、上記開口部に取り付けられた逆行防止部材とを備えたネズミ捕獲器であって、上記逆行防止部材が、複数の針金の後端を開口部の縁の近傍に固定すると共に、それぞれの先端を筐体の内側に向けて延ばした構造を備えていることを特徴としている。
上記筺体として、複数匹のネズミを収納可能な容積を備えているものを用いることが望ましい。
また、上記逆行防止部材の各針金を、それぞれの先端が筐体の内側に向けて窄まるように配置させることが望ましい。
【０００６】
請求項２に記載のネズミ捕獲器は、請求項１のネズミ捕獲器であって、上記筺体を透明材によって形成したことを特徴としている。
【０００７】
請求項３に記載のネズミ捕獲器は、請求項１または２のネズミ捕獲器であって、上記筺体に複数の開口部が設けられ、各開口部に上記逆行防止部材が取り付けられていることを特徴としている。
【０００８】
請求項４に記載のネズミ捕獲器は、請求項１〜３のネズミ捕獲器であって、上記開口部の少なくとも一つが筐体側面の上方に設けられており、当該開口部にも逆行防止部材が取り付けられており、さらに、上記開口部にネズミを導くための案内手段を筐体側面に備えたことを特徴としている。
【０００９】
請求項５に記載のネズミ捕獲器は、請求項４のネズミ捕獲器であって、上記案内手段が、筐体の側面に形成された凹部または凸部の少なくとも一方であることを特徴としている。
【００１０】
請求項６に記載のネズミ捕獲器は、請求項４のネズミ捕獲器であって、上記案内手段が、筐体の側面に設けられたスロープ状部材であることを特徴としている。
【００１１】
請求項７に記載のネズミ捕獲器は、請求項４のネズミ捕獲器であって、上記案内手段が、筐体の側面に設けられた梯子状部材であることを特徴としている。
【発明の効果】
【００１２】
請求項１に記載したネズミ捕獲器の場合、筺体の開口部に複数の針金の先端を筐体内に延在させた逆行防止部材を取り付けているため、この開口部を通って筐体内にネズミが一旦侵入すると、鋭い針金の先端が突き刺さり、脱出は困難となる。ただし、開口部は相変わらず開いているため、次から次へと他のネズミを筐体内に誘引することができ、比較的長期間設置したままにしておけば多数のネズミを捕獲可能となる。
また、このネズミ捕獲器は比較的単純な構造であり、極めて低コストで製作可能である。このため、比較的多数のネズミ捕獲器を駆除対象領域に設置可能となり、高い捕獲効果を奏することができる。
【００１３】
請求項２に記載したネズミ捕獲器の場合、透明材によって筺体が形成されるため、捕獲済みのネズミを外部から観察可能となる。
このため、設置者がネズミの捕獲事実を容易に認識可能となるのはもちろん、仲間と群れたがるというネズミの習性を利用し、次のネズミを筺体内に誘引することが可能となる。
【００１４】
請求項３に記載したネズミ捕獲器の場合、筐体に複数の開口部が設けられており、各開口部に逆行防止部材が取り付けられているため、多方向からネズミを筐体内に導くことが可能となり、捕獲効率を向上させることができる。
【００１５】
請求項４に記載したネズミ捕獲器の場合、地面や床面に設置された筐体の上部に逆行防止部材付きの開口部が設けられているため、高い方向に移動したがるというクマネズミの特性を利用し、これを効果的に捕獲可能となる。
【００１６】
請求項５〜７に記載したネズミ捕獲器の場合、凹部や凸部、スロープ部材、梯子部材が足場として機能する結果、高い位置に形成された開口部にネズミをうまい具合に誘導することが可能となる。
【発明を実施するための最良の形態】
【００１７】
図１は、この発明に係るネズミ捕獲器10の概観を示す斜視図であり、このネズミ捕獲器10は、直方体形状の比較的大型の筺体12と、この筺体12の第１の側面14に設けられた円形の第１の開口部16と、第２の側面18に形成された円形の第２の開口部20と、第２の側面18に接合されたスロープ部材22とを備えている。
【００１８】
上記筐体12は、透明または半透明のプラスチック材等よりなり、少なくとも５〜１０匹程度のネズミ24を収納できる容積を備えている。この筐体12の形状・寸法について特に限定はなく、完全な直方体である必要はない。
【００１９】
図２に示すように、第１の側面14の下方に形成された第１の開口部16には、逆行防止部材26が嵌装されている。
この逆行防止部材26は、図３に示すように、アルミニウム等よりなる円環状の枠部材28と、この枠部材28に固定された多数の針金30と、各針金30の途中に係合された円環状の支持部材32とから構成される。枠部材28は、第１の開口部16の周縁に沿って配置されている。
各針金30の後端30a側は、枠部材28に巻回固定されており、先端30b側は筐体12内に向けて延びている。
【００２０】
上記の支持部材32には、針金30を挿通するための一対の貫通孔が、少なくとも針金30の本数分設けられており、この貫通孔に各針金30の先端30b側を縫うように挿入して引き延ばすことにより、各針金30と支持部材32との係合が実現される。
【００２１】
図２及び図３に示すように、各針金30の先端30b側は筐体内に向けて窄まるように配置されているため、筐体12の開口部付近ではネズミが十分に通過できる口径を備えている。
これに対し、一旦筐体12内にネズミが入り込んだ後は、各針金30の先端30bが狭い円周上に並んでいるため、ネズミ24は外部に脱出できなくなる。無理に戻ろうとすれば、針金30の鋭い先端30bが体に突き刺さるため、ネズミ20はこれを忌避する。
【００２２】
筐体12は透明または半透明であるため、筐体12内の捕獲されたネズミを外部から観察可能となる。
このため、設置者がネズミの捕獲事実を容易に認識可能となる。
また、ネズミには仲間のネズミを発見すると親近感を覚えて群れたがるという習性があるため、これにより他のネズミを内部に誘因することができる。
筐体12内にイカの天ぷらやロースカツ、米や麦といったネズミの好物を餌として配置させることにより、より効果的にネズミを誘因可能となる。
【００２３】
上記第２の開口部20は、第２の側面18の上方に形成されており、ここにも逆行防止部材26が嵌装されている。この逆行防止部材26の構成は上記と同様であるため、重複の説明は省略する。
【００２４】
上記スロープ部材22は、直角三角柱を横に倒した形状を備えており、プラスチック等よりなる。
このスロープ部材22を第２の側面18に接合させることにより、ネズミ24が傾斜面22aを伝って移動し、第２の開口部20に容易に到達可能となる。
【００２５】
日本のネズミ被害の多くはドブネズミとクマネズミの２種によってもたらされるが、特にクマネズミは上方へ移動していく本能的性質を有している。このため、筐体12の側面上部にも第２の開口部20を設けることにより、クマネズミの上方へ移動したがる性質を利用し、捕獲効率を高めることができる。
【００２６】
上記スロープ部材22を設ける代わりに、図４に示すように、筐体12の第２の側面18に、線状凹部34を一定の間隔をおいて複数段設けてもよい。この線状凹部34が足場として機能し、ネズミを第２の開口部20まで導くことが可能となる。
線状凹部34の代わりに、第２の側面18に線状凸部を一定の間隔をおいて複数段設けてもよい。
あるいは、図示は省略したが、梯子状の案内部材を第２の側面18に取り付け、第２の開口部20に導くように構成してもよい。
【００２７】
開口部の数は２つに限定されるものではなく、筐体12の大きさに応じて適宜増減させることができる。
また、開口部の形状も円形に限定されるものではなく、矩形や楕円形等、任意の形状を採用することができる。
【図面の簡単な説明】
【００２８】
【図１】この発明に係るのネズミ捕獲器の外観を示す斜視図である。
【図２】逆行防止部材の構成を示す側面拡大図である。
【図３】逆行防止部材の構成を示す正面拡大図である。
【図４】第２の開口部及び複数の線状凹部を示す正面拡大図である。
【符号の説明】
【００２９】
10  ネズミ捕獲器
12  筐体
14  第１の側面
16  第１の開口部
18  第２の側面
20  第２の開口部
24  ネズミ
26  逆行防止部材
28  枠部材
30  針金
32  支持部材
34  線状凹部
【図１】
2010022204.tif 000003
【図２】
2010022204.tif 000004
【図３】
2010022204.tif 000005
【図４】
2010022204.tif 000006